(57)【要約】【課題】ドアの上部における通気性を確保することができるドアを提供する。【解決手段】ドア１は、一方の室Ｋ１に対面する第１ドア表面１ａと他方の室Ｋ２に対面する第２ドア表面１ｂとを有するドア本体１ｄを有する。ドア本体１ｄは、ドア本体１ｄの上部領域に設けられた上部通気孔４０を有する。上部通気孔４０は、ドア本体１ｄの第１ドア表面１ａの上部領域及びドア上面１ｕのうちの少なくとも一方に設けられた第１上部開口４１と、ドア本体１ｄの第２ドア表面１ｂの上部領域及びドア上面１ｕのうちの少なくとも一方に設けられた第２上部開口４２と、第１上部開口４１及び第２上部開口４２とを連通する上部連通路４３とを有する。ドア枠１８とドア本体１ｄとの間をシールする遮音用シール部材１５が設けられていることが好ましい。【選択図】図３
2005207106.tif 000002
【特許請求の範囲】
【請求項１】
一方の空間に対面する第１ドア表面と他方の空間に対面する第２ドア表面とドア底面と前記ドア底面に背向するドア上面とを有するドア本体を備えたドアにおいて、
前記ドア本体は、
前記ドア本体の上部領域に設けられ前記一方の空間と前記他方の空間とを連通する上部通気孔を有し、
前記上部通気孔は、
前記ドア本体の前記第１ドア表面の上部領域及び前記ドア上面のうちの少なくとも一方に設けられ前記一方の空間に連通する第１上部開口と、
前記ドア本体の前記第２ドア表面の上部領域及び前記ドア上面のうちの少なくとも一方に設けられ前記他方の空間に連通する第２上部開口と、
前記ドア本体の厚み方向の内部に設けられ前記第１上部開口及び前記第２上部開口をつなぐ上部連通路とを有することを特徴とするドア。
【請求項２】
一方の空間に対面する第１ドア表面と他方の空間に対面する第２ドア表面とドア底面と前記ドア底面に背向するドア上面とを有するドア本体と、前記ドア本体を枢支する側の壁またはドア枠と前記ドア本体との間をシールするように、前記壁または前記ドア枠と前記ドア本体との間に設けられた遮音用シール部材とを備えたドアにおいて、
前記ドア本体は、
前記ドア本体の上部領域に設けられ前記一方の空間と前記他方の空間とを連通する上部通気孔を有し、
前記上部通気孔は、
前記ドア本体の前記第１ドア表面の上部領域及び前記ドア上面のうちの少なくとも一方に設けられ前記一方の空間に連通する第１上部開口と、
前記ドア本体の前記第２ドア表面の上部領域及び前記ドア上面のうちの少なくとも一方に設けられ前記他方の空間に連通する第２上部開口と、
前記ドア本体の厚み方向の内部に設けられ前記第１上部開口及び前記第２上部開口をつなぐ上部連通路とを有し、
前記上部通気孔の前記第１上部開口及び前記第２上部開口は、
前記ドア本体の厚み方向に沿った断面で、前記第１上部開口と前記第２上部開口とを前記ドア本体の上部外側に沿って仮想的に結ぶ仮想線において前記第１上部開口と前記第２上部開口との途中に前記遮音用シール部材を位置させるように、設定されていることを特徴とするドア。
【請求項３】
請求項１または請求項２において、前記上部通気孔の前記第１上部開口は、前記ドア本体の前記ドア上面において上方に開口するように設けられていることを特徴とするドア。
【請求項４】
請求項１〜請求項３のうちのいずれか一項において、前記上部通気孔の上部連通路は、前記ドア本体の内部に設けられた吸音材料で形成された吸音材で覆われていることを特徴とするドア。
【請求項５】
請求項１〜請求項４のうちのいずれか一項において、前記上部通気孔の前記上部連通路は、前記第１上部開口の開口断面積及び前記第２上部開口の開口断面積よりも、大きな流路断面積をもつ空洞状の消音室を有することを特徴とするドア。
【請求項６】
請求項１〜請求項５のうちのいずれか一項において、更に、前記ドア本体の下部領域に設けられ前記一方の空間と前記他方の空間とを連通する下部通気孔を有することを特徴とするドア。
【請求項７】
請求項６において、前記ドア本体の前記下部通気孔は、
前記ドア本体の前記第１ドア表面の下部領域及び前記ドア底面のうちの少なくとも一方に設けられ一方の空間に連通する第１下部開口と、
前記ドア本体の前記第２ドア表面の下部領域及び前記ドア底面のうちの少なくとも一方に設けられ他方の空間に連通する第２下部開口と、
前記ドア本体の厚み方向の内部に設けられ前記第１下部開口及び前記第２下部開口をつなぐ下部連通路とを有することを特徴とするドア。
【請求項８】
請求項６または請求項７において、前記上部通気孔と前記下部通気孔は互いに独立しており、非連通であることを特徴とするドア。
【請求項９】
請求項１〜請求項８のうちのいずれか一項において、前記ドア本体は、前記ドア底面と前記ドア底面に対向する対向面との間の隙間を前記ドア本体の閉鎖につれて閉鎖する閉鎖量を増加させ、前記隙間を介しての音の伝搬を抑えるドア底面遮音手段を有することを特徴とするドア。
【請求項１０】
請求項９において、前記ドア底面遮音手段は、前記ドア底面と前記対向面との間の隙間の開口量を調整可能な遮音部材と、前記遮音部材を作動させる作動部とを備えており、前記ドア本体の閉鎖に伴い、前記作動部は前記遮音部材を前記対向面に接触または接近させる遮音位置に切り替えると共に、前記ドア本体の開放に伴い、前記作動部は前記遮音部材を前記対向面から遠ざけて退避させる退避位置に切り替えることを特徴とするドア。
【発明の詳細な説明】
【技術分野】
【０００１】
本発明は通気機構付きのドアに関する。本発明は例えばトイレ室、勉強部屋、寝室、客室、居間、業務室、オーディオ室、コンピュータ室等といった遮音性を特に要請される家庭用、業務用の各ドアに適用できる。
【背景技術】
【０００２】
ホルムアルデヒド等の有害物質による室内におけるシックハウス症候群が話題となっている。そして近年（２００３年７月）、室内におけるシックハウス症候群に対応するため建築基準法が改正され、換気設備による室内の換気性を確保すること、あるいは、ドアにおいて所定の有効開口面積を確保すること（非特許文献１参照）が要請されている。
【０００３】
従来、室内換気に関する技術として、特許文献１には、ドアのドア底面に可動式の遮音部材を設け、ドアの閉鎖時に、遮音部材を可動させてドア底面と床面との間の隙間を閉鎖すると共に、遮音部材の付近の通気孔より通気性を確保することが記載されている。
【特許文献１】特開平８−２８４５４６号公報
【非特許文献１】国土交通省住宅局建築指導課，国土交通省住宅局住宅生産課，国土交通省国土技術政策総合研究所，独立行政法人建築研究所，日本建築行政会議，シックハウス対策マニュアル編集委員会、「改正建築基準法に対応した建築物のシックハウス対策マニュアル−建築基準法・住宅性能表示制度の解説及び設計施工マニュアル−」、第１版、工学図書株式会社、平成１５年５月１日、ｐ．２１１
【発明の開示】
【発明が解決しようとする課題】
【０００４】
上記した特許文献１に係る従来技術によれば、ドア底面付近における通気性を確保しようと図っているが、必ずしも充分ではない。例えば、人は、ドアで開閉される出入口を往来するため、人の往来に直接的に影響を受ける床面、すなわち閉鎖時のドアのドア底面に対向する床面には、微小異物や塵埃等が存在するおそれが少なからずある。この場合、ドア底面付近に設けた通気孔の有効開口面積が目標値から減少し、通気孔の開口による換気性が損なわれるおそれがある。
【０００５】
またドアに近設する床面には、静物が配置されることがあるため、その静物がドア底面付近における通気性や換気性を阻害するおそれも少なからずある。
【０００６】
更にドアには枢支具で開閉回動可能に枢支されているものがあるが、ドアの自重でドアが微量ではあるが垂下するおそれがある。この場合においても、枢支されているドアが垂下すると、ドア底面付近に設けた通気孔の有効開口面積が目標値から減少し、通気孔の開口による換気性が損なわれるおそれがある。殊に、遮音ドアは、遮音性を高めるべく肉厚を厚くしたり吸音材等を内部に装填したりすることがあり、重量が増加しがちとなり易いため、ドア底面付近に設けた通気孔の有効開口面積の目標値からの減少は著しい。
【０００７】
本発明は上記した実情に鑑みてなされたものであり、第１発明の課題は、ドアの上部領域における通気性を確保することができるドアを提供することにある。第２発明の課題は、ドアを枢支する壁またはドア枠とドアとの間に遮音用シール部材が設けられているときであっても、ドアの上部領域における通気性を確保することができるドアを提供することにある。第３発明の課題は、ドアの上部領域における通気性の他に、ドアの下部領域における通気性を確保することができるドアを提供することにある。
【課題を解決するための手段】
【０００８】
本発明者は、ドア底面側とは異なり、人の往来などに直接関係がないドアの上部領域に通気孔を形成すれば、上記した不具合を抑えることができることに着目し、本発明を開発した。
【０００９】
（１）第１発明に係るドアは、一方の空間に対面する第１ドア表面と他方の空間に対面する第２ドア表面とドア底面と前記ドア底面に背向するドア上面とを有するドア本体を備えたドアにおいて、前記ドア本体は、前記ドア本体の上部領域に設けられ前記一方の空間と前記他方の空間とを連通する上部通気孔を有し、前記上部通気孔は、前記ドア本体の前記第１ドア表面の上部領域及び前記ドア上面のうちの少なくとも一方に設けられ前記一方の空間に連通する第１上部開口と、前記ドア本体の前記第２ドア表面の上部領域及び前記ドア上面のうちの少なくとも一方に設けられ前記他方の空間に連通する第２上部開口と、前記ドア本体の厚み方向の内部に設けられ前記第１上部開口及び前記第２上部開口をつなぐ上部連通路とを有することを特徴とするものである。
【００１０】
第１発明に係るドアによれば、ドアの上部領域に設けられている上部通気孔により、ドアの上部領域における通気性が確保される。従って、空調時においても非空調時においても、ドアの上部領域における通気性が確保される。殊に、空間内を暖房する空調時に、ドアの開閉が長時間にわたり行われないとき、暖められた空気は一般的に空間内において上昇した位置に滞留する傾向にある。このため通気孔がドア底面のみに設けられていると、暖められた空気の換気性は必ずしも充分ではない。この点第１発明に係るドアによれば、ドアの上部領域に設けられている上部通気孔により、ドアの上部領域における通気性が確保されるため、暖められた空気の換気に貢献することができる。
【００１１】
（２）第２発明に係るドアは、一方の空間に対面する第１ドア表面と他方の空間に対面する第２ドア表面とドア底面と前記ドア底面に背向するドア上面とを有するドア本体と、前記ドア本体を枢支する側の壁またはドア枠と前記ドア本体との間をシールするように前記壁または前記ドア枠と前記ドア本体との間に設けられた遮音用シール部材とを備えたドアにおいて、前記ドア本体は、前記ドア本体の上部領域に設けられ前記一方の空間と前記他方の空間とを連通する上部通気孔を有し、前記上部通気孔は、前記ドア本体の前記第１ドア表面の上部領域及び前記ドア上面のうちの少なくとも一方に設けられ前記一方の空間に連通する第１上部開口と、前記ドア本体の前記第２ドア表面の上部領域及び前記ドア上面のうちの少なくとも一方に設けられ前記他方の空間に連通する第２上部開口と、前記ドア本体の厚み方向の内部に設けられ前記第１上部開口及び前記第２上部開口をつなぐ上部連通路とを有し、
前記上部通気孔の前記第１上部開口及び前記第２上部開口は、前記ドア本体の厚み方向に沿った断面で、前記第１上部開口と前記第２上部開口とを前記ドア本体の上部外側（外縁）に沿って仮想的に結ぶ仮想線において前記第１上部開口と前記第２上部開口との途中に前記遮音用シール部材を位置させるように、設定されていることを特徴とするものである。
【００１２】
第２発明に係るドアによれば、第１発明と同様に、ドアの上部領域に設けられている上部通気孔により、ドアの上部領域における通気性が確保される。従って、空調時においても非空調時においても、ドアの上部領域における通気性が確保される。殊に、空間内を暖房する空調時に、ドアの開閉が長時間にわたり行われないとき、暖められた空気は一般的に空間内において上昇した位置に滞留する傾向にある。このため通気孔がドアの下部領域のみに設けられていると、暖められた空気の換気性は必ずしも充分ではない。この点第２発明に係るドアによれば、ドアの上部領域に設けられている上部通気孔により、ドアの上部領域における通気性が確保されるため、暖められた空気の換気に貢献することができる。
【００１３】
また第２発明に係るドアによれば、ドア本体を枢支する側の壁またはドア枠とドア本体との間をシールするように、遮音用シール部材が壁またはドア枠とドア本体との間に設けられている。このためドア本体を枢支する側の壁またはドア枠とドア本体との隙間から音が洩れることは、遮音用シール部材により抑えられ、遮音性が向上する。
【００１４】
更に第２発明に係るドアによれば、ドア本体の上部通気孔の第１上部開口及び第２上部開口は、ドア本体の厚み方向に沿った断面で、第１上部開口と第２上部開口とをドア本体の上部外側（外縁）に沿って仮想的に結ぶ仮想線において第１上部開口と第２上部開口との途中に遮音用シール部材を位置させるように、設定されている。このため、壁またはドア枠とドア本体との隙間から音が洩れることを遮音用シール部材により抑えつつ、ドアで仕切られている一方の空間と他方の空間との間における通気性を上部通気孔により確保することができる。つまりドア遮音性とドア通気性との両立に貢献することができる。
【００１５】
（３）第３発明に係るドアは、第１発明，第２発明に係るドアにおいて、更に、前記ドア本体の下部領域に設けられ前記一方の空間と前記他方の空間とを連通する下部通気孔を有することを特徴とするものである。
【００１６】
第３発明に係るドアによれば、第１発明、第２発明と同様に、ドアの上部領域に設けられている上部通気孔により、ドアの上部領域における通気性が確保される。従って、空調時においても非空調時においても、ドアの上部領域における通気性が確保される。殊に、空間内を暖房する空調時に、ドアの開閉が長時間にわたり行われないとき、暖められた空気は一般的に空間内において上昇した位置に滞留する傾向にある。このため通気孔がドアの下部領域のみに設けられていると、暖められた空気の換気性は必ずしも充分ではない。この点第３発明に係るドアによれば、ドアの上部領域に設けられている上部通気孔により、ドアの上部領域における通気性が確保されるため、暖められた空気の換気に貢献することができる。
【００１７】
また第３発明に係るドアによれば、ドアの下部領域に設けられている下部通気孔により、ドアの下部領域における通気性が確保される。従って、空調時においても非空調時においても、ドアの下部領域における通気性が確保される。殊に、空間内を冷房する空調時に、ドアの開閉が長時間にわたり行われないとき、冷却された空気は一般的に空間内において下降した位置に滞留する傾向にある。このため、冷却された空気の換気性は必ずしも充分ではない。この点第３発明に係るドアによれば、ドアの下部領域に設けられている下部通気孔により、ドアの下部領域における通気性が確保されるため、冷却された空気の換気に効果的に貢献することができる。
【００１８】
上記したように第３発明に係るドアによれば、ドアの上部領域に上部通気孔が設けられていると共に、ドアの下部領域に下部通気孔が設けられているため、ドアにおける有効開口面積を増加させることができ、改正建築基準法にも良好に対処することができる。更に、暖房時において、ドアの上部領域の上部通気孔による通気ばかりか、ドアの下部領域の下部通気孔による通気をも期待できるため、暖房度が相対的に高い空気の換気ばかりか、暖房度が相対的に低い空気の換気も期待でき、換気性を高めつつ暖気の過剰漏れを抑制することができる。更に冷房時において、ドアの下部領域の下部通気孔による通気ばかりか、ドアの上部領域の上部通気孔による通気をも期待でき、冷房度が相対的に高い空気の換気ばかりか、冷房度が相対的に低い空気の換気も期待でき、換気性を高めつつ冷気の過剰漏れを抑制することができる。
【００１９】
またドアにおける通気孔を上部通気孔及び下部通気孔に分けている第３発明に係るドアによれば、ドアにおける通気性、つまり、単位時間当たりの通気流量については、上部通気孔の有効開口面積と下部通気孔孔の有効開口面積との総和で基本的には規定することができ、ドアにおける通気性を向上させるのに有利である。それにもかかわらず、後述するように音の伝播は、上部通気孔の有効開口面積と下部通気孔の有効開口面積との総和で規定されるものではないため、通気性を高めつつ音の伝播の増加を抑えることができ、遮音性を維持するのに貢献することができる。
【発明の効果】
【００２０】
第１発明に係るドアによれば、ドアの上部領域に設けられている上部通気孔により、ドアの上部領域における通気性が確保されるため、空気の換気に貢献することができる。
【００２１】
第２発明に係るドアによれば、壁またはドア枠とドア本体との隙間から音が洩れることを遮音用シール部材により抑え得、遮音性を向上させつつ、ドアで仕切られている一方の空間と他方の空間との間における通気性を上部通気孔により確保することができる。
【００２２】
第３発明に係るドアによれば、ドアの上部領域に上部通気孔が設けられていると共に、ドアの下部領域に下部通気孔が設けられているため、ドア通気孔の有効開口面積、すなわちドアの上部領域及び下部領域の双方における通気性が確保され、これにより空間内の暖房及び冷房等の空調時に良好に対応することができる。また第３発明に係るドアによれば、ドアの上部領域に上部通気孔が設けられていると共に、ドアの下部領域に下部通気孔が設けられているため、ドアにおける通気性を高めつつ、上部通気孔及び下部通気孔を介しての音の伝播の増加を抑えることができ、遮音性を維持するのに貢献することができる。
【発明を実施するための最良の形態】
【００２３】
第１発明、第２発明に係るドアによれば、ドア本体は、一方の空間に対面する第１ドア表面と、他方の空間に対面する第２ドア表面と、ドア底面と、ドア底面に背向するドア上面とを有する。ドア本体の正面形状は、一般的には四角形状であるが、必ずしもこれに限定されるものではなく、正面形状でドア上面等が円弧を帯びていても良い。
【００２４】
ドア本体の上部領域に設けられた上部通気孔は、ドア本体の第１ドア表面の上部領域及びドア上面のうちの少なくとも一方に設けられ一方の空間に連通する第１上部開口と、ドア本体の第２ドア表面の上部領域及びドア上面のうちの少なくとも一方に設けられ他方の空間に連通する第２上部開口と、ドア本体の厚み方向の内部に設けられ第１上部開口及び第２上部開口をつなぐ上部連通路とを有する。
【００２５】
ここで、ドア表面の上部領域とは、ドアの高さ寸法をＨとしたとき、ドア底面とドア上面との間の長さをＨとしたとき、ドア上面から下方に向けてＨ／３の範囲内に存在することを意味する。Ｈ／４の範囲内またはＨ／５の範囲内とすることもできる。第１上部開口及び第２上部開口の形状としては、スリット形状、丸穴形状、角穴形状等を例示できる。第１上部開口の数は特に限定されない。同様に第２上部開口の数も特に限定されない。
【００２６】
上部通気孔の第１上部開口は、ドア本体のドア上面において上方に開口するように設けられている形態を例示することができる。この場合、第１上部開口は視認されにくいため、ドアの外観意匠の確保に貢献できる。上部通気孔の上部連通路は、ドア本体の内部に設けられた吸音材料で形成された吸音材で覆われている形態を例示することができる。吸音材としては、発泡スチレン、発泡ウレタン層等の発泡塊体、発泡ビーズ等の粒体の集合体、ガラス繊維等の繊維の集合体、布、メッシュ等が例示される。
【００２７】
上部通気孔の上部連通路は、第１上部開口の開口断面積及び第２上部開口の開口断面積よりも、大きな流路断面積をもつ空洞状の消音室を有する形態を例示することができる。消音室は大きな流路断面積を有する空洞状をなすため、膨張に伴う消音性が確保され、ドアを介しての音の伝播性が抑制される。
【００２８】
第２発明に係るドアによれば、ドア本体を枢支する側の壁またはドア枠とドア本体との間をシールするように、遮音用シール部材が当該壁またはドア枠とドア本体との間に設けられている。遮音用シール部材は遮音性及びシール性を有するものであれば、構造、大きさ及び材質は特に限定されない。遮音用シール部材の材質としてはゴム、軟質樹脂、固形流動材等を例示できる。遮音性を向上させるためには、遮音用シール部材はドア上部ばかりか、ドア側部、必要に応じてドア下部領域にも設けることができる。
【００２９】
第３発明に係るドアによれば、第１発明または第２発明に係るドアにおいて、更に、ドア本体の下部領域に設けられ一方の空間と他方の空間とを連通する下部通気孔を有する。ドア本体の下部通気孔は、ドア本体の第１ドア表面の下部領域及びドア底面のうちの少なくとも一方に設けられ一方の空間に連通する第１下部開口と、ドア本体の第２ドア表面の下部領域及びドア底面のうちの少なくとも一方に設けられ他方の空間に連通する第２下部開口と、ドア本体の厚み方向の内部に設けられ第１下部開口及び第２下部開口をつなぐ下部連通路とを有する形態を例示することができる。
【００３０】
ここで、ドア表面の下部領域とは、ドア底面とドア上面との長さをＨとしたとき、ドア底面から上方に向けてＨ／３の範囲内に存在することを意味する。Ｈ／４の範囲内またはＨ／５の範囲内とすることもできる。第１下部開口及び第２下部開口の形状としては、スリット形状、丸穴形状、角穴形状等を例示できる。第１下部開口の数は特に限定されない。同様に第２下部開口の数も特に限定されない。上部通気孔と下部通気孔は互いに独立しており、非連通である形態を例示することができる。あるいは、上部通気孔と下部通気孔とは互いに連通している形態を例示することもできる。
【００３１】
第１発明〜第３発明に係るドアによれば、ドア本体は、ドア底面とドア底面に対向する対向面との間の隙間をドア本体の閉鎖につれて閉鎖する閉鎖量を増加させ、隙間を介しての音の伝搬を抑えるドア底面遮音手段が設けられている形態を例示することができる。ドア底面遮音手段は、ドア底面と対向面との間の隙間の開口量を調整可能な遮音部材と、遮音部材を作動させる作動部とを備えており、ドア本体（ドア）の閉鎖に伴い、作動部は遮音部材を対向面に接触または接近させる遮音位置に切り替えると共に、ドア本体（ドア）の開放に伴い、作動部は遮音部材を対向面から遠ざけて退避させる退避位置に切り替える形態を例示することができる。
【実施例１】
【００３２】
以下、遮音性を高めた遮音ドアに本発明を適用した実施例１について図１〜図９を参照して具体的に説明する。
【００３３】
図１は遮音ドア１の全体正面図を示す。図２は遮音ドア１の下部領域付近の正面図を示す。図３は遮音ドア１の上部領域付近のドア肉厚方向に沿った断面を示す。図４は遮音ドア１の上部領域付近の正面図を示す。図１に示すように、本実施例に係る遮音ドア１はトイレ室、寝室等のように遮音性の要請が高い室の出入口を開閉するためのものであり、ドア本体１ｄは、開閉操作要素として機能するノブ１ｘと、短辺である直状のドア底面１ｃと、短辺である直状のドア上面１ｕとを有する。遮音ドア１の外側にはドア枠１８が設けられている。ドア枠１８は、ドア上面１ｕに対面する上枠１８ａと、互いに対向する側枠１８ｂ、１８ｃと、ドア底面１ｃに対面する下枠１８ｄとを有する。下枠１８ｄの上面は床面Ｆと同一高さとされている。遮音ドア１は側枠１８ｃの枢支具１ｒを介して開閉回動操作可能にドア枠１８に取り付けられている。遮音ドア１の摩擦抵抗を低減させて開閉回動操作性を確保すべく、ドア底面１ｃと床面Ｆとの間には隙間ＦＡ（図２参照）が形成される。
【００３４】
図３に示すように、遮音ドア１においては、外面側には、外観意匠性を高めるとともに遮音性を有する化粧板１０が互いに対向するように配置されており、互いに背向する第１ドア表面１ａ、第２ドア表面１ｂを形成している。なお、第１ドア表面１ａは一方の室Ｋ１に対面する。遮音ドア１の他方の第２ドア表面１ｂは他方の室Ｋ２に対面する。
【００３５】
各化粧板１０の内側に、遮音部材として機能できる遮音シート１２が配置されている。遮音シート１２間には、吸音材料で形成された吸音材１３が遮音ドア１のほぼ全体にわたり埋設されている。吸音材１３は、軽量化、遮音性、コスト等を考慮して、気泡を有する多孔質体である発泡ウレタン、発泡スチレン等の発泡塊体で構成されている。上記のような構成が採用されているため、本実施例の遮音ドア１は遮音性に優れている。
【００３６】
図３に示すように、遮音ドア１のドア本体１ｄは、ドア本体１ｄの上部領域に設けられ一方の室Ｋ１（一方の空間）と他方の室Ｋ２（他方の空間）とを連通する上部通気孔４０を有する。上部通気孔４０は、ドア本体１ｄの第１ドア表面１ａに連設するドア上面１ｕに設けられた第１上部開口４１と、ドア本体１ｄの第２ドア表面１ｂの上部に設けられた第２上部開口４２と、ドア本体１ｄの厚み方向の内部に設けられ第１上部開口４１及び第２上部開口４２を連通する上部連通路４３とを有する。ドア枠１８は壁９に取り付けられている。ドア枠１８の上枠１８ａは壁９の壁上面９０に対面している。
【００３７】
第１上部開口４１は、ドア上面１ｕとドア枠１８との間の上部隙間９１を介して、ドア枠１８の上枠１８ａ、壁上面９０に対面している。従って、第１上部開口４１は、ドア上面１ｕとドア枠１８との間の上部隙間９１を介して、一方の室Ｋ１に連通する。第１上部開口４１はドア上面１ｕにおいて開口するように形成されているため、通常の状態では人は第１上部開口４１を視認することができず、遮音ドア１の外観意匠に影響を与えない。第２上部開口４２は、ドア本体１ｄの側方に対向するように第２ドア表面１ｂに設けられており、他方の室Ｋ２に連通する。第２上部開口４２には、意匠性を高める化粧体４４が取り付けられている。図４に示すように、上部通気孔４０はドア本体１ｄのドア幅方向（矢印Ｄ方向）において複数個（３個）互いに独立して並設されている。従って、第１上部開口４１はドア上面１ｕにおいてドア幅方向（矢印Ｄ方向）に沿って並設され、第２上部開口４２は第２ドア表面１ｂにおいて第１上部開口４１と対応するようにドア幅方向（矢印Ｄ方向）に沿って並設され、上部連通孔４３はドア本体１ｄの内部においてドア幅方向（矢印Ｄ方向）に沿って並設されている。
【００３８】
なお、前記した室Ｋ１としては、トイレ室、勉強部屋、寝室、客室、居間、業務室、オーディオ室、コンピュータ室等といった遮音性を特に要請される室とすることができる。あるいは、室Ｋ２を、トイレ室、勉強部屋、寝室、客室、居間、業務室、オーディオ室、コンピュータ室等といった遮音性を特に要請される室とすることにしても良い。
【００３９】
図３に示すように、上部通気孔４０の上部連通路４３はＬの字形状をなす。即ち、上部連通路４３は、ドア肉厚方向（矢印Ｔ方向）に沿って指向するとともに第２上部開口４２に連通する横連通路４３ａと、ドア表面方向（矢印Ｙ方向）に沿って指向すると共に第１上部開口４１に連通する縦連通路４３ｂとを備えている。このように横連通路４３ａと縦連通路４３ｂとが互いに交差する方向に形成されているため、遮音ドア１の内外を連通する通気性を確保しつつ、上部通気孔４０を伝搬する音の伝搬距離を増加でき、上部通気孔４０を伝搬する音の減衰性を向上させ、遮音性を向上させることができる。上部連通路４３は、吸音材料で形成された吸音材１３の内部に形成されている。このため上部連通路４３は吸音材１３で覆われており、吸音材１３に直接的に対面している。これにより上部通気孔４０を介しての音伝搬が一層効果的に減衰される。
【００４０】
遮音性を向上させるためには、閉鎖時における遮音ドア１の周囲を気密的にシールすることが好ましい。そこで図３に示すように、遮音用シール部材１５がドア枠１８に保持されている。遮音用シール部材１５は、ドア枠１８とドア本体１ｄの第２ドア表面１ｂとの間に介在しており、遮音ドア１の閉鎖時において、ドア本体１ｄを枢支する側のドア枠１８とドア本体１ｄの第２ドア表面１ｂとの間の隙間１ｓをシールする。隙間１ｓは遮音ドア１の周囲に巡らされているため、その長さは長いものである。遮音用シール部材１５はドア枠１８の上枠１８ａ、側枠１８ｂ、１８ｃに保持されている。遮音用シール部材１５のうちドア枠１８の上枠１８ａに保持されている部分は、シール部分１５ｘとされている。なお、図３に示すように、第２上部開口４２は遮音用シール部材１５のシール部分１５ｘよりも下方に位置する。即ち、遮音用シール部材１５のシール部分１５ｘは第２上部開口４２よりも上方に位置する。
【００４１】
上部通気孔４０の第１上部開口４１及び第２上部開口４２は、ドア厚み方向（矢印Ｔ方向）に沿った断面（図３）で、第１上部開口４１と第２上部開口４２とをドア本体１ｄの上部外側に沿って仮想的に結ぶ仮想線ＰＭにおいて第１上部開口４１と第２上部開口４２との途中に遮音用シール部材１５のシール部分１５ｘを位置させるように、設定されている。このようにして遮音用シール部材１５のシール部分１５ｘによるシール性を損なわないように、上部通気孔４０は遮音用シール部材１５のシール部分１５ｘを迂回している。
【００４２】
図５は遮音ドア１のドア底面１ｃ付近の断面図を示す。図５に示すように、床面Ｆ（下枠１８ｄ）は遮音ドア１のドア底面１ｃに対向するため、床面Ｆ（下枠１８ｄ）は対向面として機能できる。床面Ｆ及び下枠１８ｄは平坦で同一高さとされており、障害物となり得る段差が形成されていないバリヤ・フリー構造とされている。遮音ドア１は、ドア本体１ｄの下部領域に設けられ一方の室Ｋ１と他方の室Ｋ２とを連通する下部通気孔２０を有する。下部通気孔２０は上部通気孔４０に対して独立して配置されており、下部通気孔２０と上部通気孔４０とは互いに非連通である。下部通気孔２０は、第１ドア表面１ａのうち下部領域付近で開口する第１下部開口２１と、ドア底面１ｃで開口する第２下部開口２２と、第１下部開口２１及び第２下部開口２２を連通する下部連通路２３とを備えている。第２下部開口２２はドア底面１ｃにおいて開口するように形成されているため、通常の状態では人は第２下部開口２２を視認することができず、遮音ドア１の外観意匠に影響を与えない。
【００４３】
第１下部開口２１には外観意匠を向上させる化粧体３が配置されている。化粧体３は、上側の第１化粧体３１と下側の第２化粧体３２とで構成されている。
【００４４】
図１及び図２に示すように、第１下部開口２１は、第１ドア表面１ａで開口しつつ、ドア幅方向（矢印Ｄ方向）に沿って細長くスリット状に延設されている。下部連通路２３もドア幅方向（矢印Ｄ方向）に沿って細長くスリット状に延設されている。第２下部開口２２も第１下部開口２１と同様にドア幅方向（矢印Ｄ方向）に沿って細長くスリット状に延設されており、第２下部開口２２の長さは第１下部開口２１の長さと同程度とされている（図５及び図６参照）。
【００４５】
上記したように第１下部開口２１及び第２下部開口２２は、ドア幅方向（矢印Ｄ方向）に沿って細長くスリット状に延設されている。更に下部連通路２３もドア幅方向（矢印Ｄ方向）に沿って細長く延設されている。このため外観意匠の自由度の確保、遮音ドア１による遮音性能の確保を図りつつ、下部通気孔２０の有効開口面積を増加させ、単位時間当たりの通気量を増加させることができる。
【００４６】
図５に示すように、下部通気孔２０の下部連通路２３は断面でほぼ逆Ｌの字形状とされている。即ち、下部通気孔２０の下部連通路２３は、ドア肉厚方向（矢印Ｔ方向）に沿って指向するとともに第１下部開口２１に連通する横連通路２３ａと、ドア表面方向（矢印Ｙ方向）に沿って指向すると共に第２下部開口２２に連通する縦連通路２３ｂとを備えている。このように横連通路２３ａと縦連通路２３ｂとが互いに交差する方向に形成されているため、遮音ドア１の内外を連通する通気性を確保しつつ、下部通気孔２０を伝搬する音の伝搬距離を増加でき、音減衰性を向上させ、遮音性を向上させることができる。
【００４７】
本実施例によれば図５に示すように、下部通気孔２０の縦連通路２３ｂは、ドア肉厚方向（矢印Ｔ方向）における遮音ドア１の中心線Ｐ１に対して偏らせて配置されているため、後述するように搭載部品である枠体５や遮音部材６０を避けるように、形成されている。下部連通路２３は、吸音材料で形成された吸音材１３の内部に形成されている。このため下部連通路２３は吸音材１３で覆われており、吸音材１３に直接対面している。これにより下部連通路２３を介しての音伝搬が一層効果的に減衰される。
【００４８】
本実施例においては、図５及び図６に示すように遮音ドア１のドア底面１ｃには、搭載部品として機能する枠体５が固定されている。枠体５は、遮音ドア１のドア幅方向（矢印Ｄ方向）に沿って延設されるとともに、アルミ等の金属や硬質樹脂などの材料で形成されており、遮音ドア１の底部付近を補強する機能と、後述する遮音部材６０を退避させて収容する機能とを有する。枠体５は、断面コの字形状をなしており、互いに対面する２個の立壁５０と、立壁５０同士をつなぐ横壁５１とを有し、下面が開放されている。これらの立壁５０と横壁５１との区画により、枠体５には収容室５３が形成される。
【００４９】
遮音ドア１のドア底面１ｃ付近にはドア底面遮音手段６が搭載されている。ドア底面遮音手段６は、遮音ドア１のドア幅方向（矢印Ｄ方向）に沿って延設された搭載部品として機能する可動式の遮音部材６０と、遮音ドア１の開閉に伴い遮音部材６０を自動的に昇降させるための作動部としての作動機構６２（図８参照）とを備えている。遮音部材６０は、ゴムや軟質樹脂などのように遮音性を有する材質で形成されており、遮音ドア１の底部に固定された枠体５の収容室５３内に配置されている。作動機構６２（図８参照）は、遮音ドア１の幅方向における両端の下部領域付近にそれぞれ設けられている。
【００５０】
図５に示すように遮音部材６０及び枠体５は、ドア底面１ｃのドア肉厚方向（矢印Ｔ方向）において併設されているため、枠体５の収容室５３内に配置された遮音性を高める遮音部材６０は、第１下部開口２１と第２下部開口２２との間のシール性を高めるべく、矢印Ｔ方向において第１下部開口２１と第２下部開口２２との間に位置している。
【００５１】
図８及び図９に示すように、作動機構６２は、遮音部材６０に一体的に保持された複数個の持ち上げピン６３と、持ち上げピン６３の頭部６３ｃと遮音部材６０との間に介装された付勢要素として機能する引張バネであるコイル状の持ち上げバネ６４と、ドア幅方向である矢印Ｄ１、Ｄ２方向（図８参照）に移動可能な横型ピン状の作動子６５と、作動子６５を矢印Ｄ２方向に付勢しこれの鍔部６５ｃを遮音ドア１の端板１ｍに当接させる付勢要素として機能する圧縮バネであるコイル状の付勢バネ６６と、遮音部材６０に一体に固定された押圧突部６７と、押圧突部６７と作動子６５との間に配置された作動力方向変換部材として機能する球体６８とを備えている。図８に示すように、付勢バネ６６の付勢力により作動子６５の頭部６５ａが突出方向（矢印Ｄ２方向）に付勢されて遮音ドア１の端板１ｍよりも外方に突出している。遮音ドア１が開いている際には、持ち上げバネ６４の付勢力により、遮音部材６０は持ち上げ方向（矢印Ｃ２方向）に持ち上げられており、床面Ｆから遠ざかる退避位置ＨＡに切り替えられている。従って持ち上げバネ６４は遮音部材６０を退避させる退避手段として機能する。
【００５２】
図７から理解できるように、遮音ドア１が矢印Ｆ１方向に回動して遮音ドア１が閉鎖されるとき、遮音ドア１を取り付けたドア枠１８の部位１８ｘにより作動子６５の頭部６５ａが退避方向（矢印Ｄ１方向）に押込み操作される。このように作動子６５が矢印Ｄ１方向に押圧操作されると、図８から理解できるように、作動子６５の傾斜面６５ｍにより球体６８が下方に押され、押圧突部６７が下方（矢印Ｃ１方向）に移動し、これにより遮音部材６０が同方向に移動し、遮音部材６０の先端６０ｒが床面Ｆに接触または接近する。この結果、遮音部材６０が遮音位置ＨＢに切り替えられる。この場合にはドア底面１ｃと床面Ｆとの隙間ＦＡを遮音部材６０が閉鎖するため、遮音性が一層高まる。
【００５３】
一方、遮音ドア１が矢印Ｆ２方向（図７参照）に回動して開放されるとき、ドア枠１８の部位１８ｘが作動子６５の頭部６５ａを押込み操作することが解除される。このため付勢バネ６６により作動子６５が突出方向（矢印Ｄ２方向）に付勢され、作動子６５の鍔部６５ｃが端板１ｍに当接する位置まで作動子６５が自動的に復帰する。このため持ち上げバネ６４の付勢力により遮音部材６０は退避方向（矢印Ｃ２方向）に自動的に持ち上げられ、退避位置ＨＡとなり、ドア底面１ｃと床面Ｆとの隙間幅が増加する。このように遮音部材６０が床面Ｆから浮上すれば、遮音部材６０と床面Ｆとの摩擦が低減又は回避され、遮音ドア１の動きを遮音部材６０が邪魔することを抑え得、遮音ドア１の回動操作が円滑となる。なお、前記した作動子６５、球体６８、押圧突部６７は、遮音部材６０を降ろして閉鎖させるために付加される外力の方向を変換する作動力方向変換機構を構成している。
【００５４】
以上の説明から理解できるように本実施例によれば、遮音ドア１の上部領域に設けられている上部通気孔４０により、遮音ドア１の上部領域における通気性が確保される。従って、空調時においても非空調時においても、遮音ドア１の上部領域における通気性が確保される。本実施例によれば、遮音ドア１の上部領域に上部通気孔４０が設けられていると共に、遮音ドア１の下部領域に下部通気孔２０が設けられているため、遮音ドア１における有効開口面積を増加させることができ、改正建築基準法にも良好に対処することができる。
【００５５】
室内を暖房する空調時に、遮音ドア１の開閉が長時間にわたり行われないとき、暖められた空気は一般的に室内において上昇した位置に滞留する傾向にある。このため通気孔がドアの下部領域のみに設けられていると、暖められた空気の換気性は必ずしも充分ではない。この点本実施例によれば、遮音ドア１の上部領域に設けられている上部通気孔４０により、遮音ドア１の上部領域における通気性が確保され、暖められた空気の換気に効果的に貢献することができる。
【００５６】
また室内を冷房する空調時に、遮音ドア１の開閉が長時間にわたり行われないとき、冷却された空気は一般的に室内において下降した位置に滞留する傾向にある。このため通気孔がドア上部領域のみに設けられていると、冷却された空気の換気性は必ずしも充分ではない。この点本実施例によれば、遮音ドア１の下部領域に設けられている下部通気孔２０により、遮音ドア１の下部領域における通気性が確保されるため、冷却された空気の換気に効果的に貢献することができる。
【００５７】
更に、本実施例によれば、遮音ドア１の上部領域の上部通気孔４０による通気ばかりか、遮音ドア１の下部領域の下部通気孔２０による通気をも期待できるため、暖房時において、暖房度が相対的に高い空気の換気ばかりか、暖房度が相対的に低い空気の換気も期待でき、暖気の過剰漏れを抑制することができる。更に冷房時において、下部通気孔２０による通気ばかりか、上部通気孔４０による通気をも期待でき、冷房度が相対的に高い空気の換気ばかりか、冷房度が相対的に低い空気の換気も期待でき、冷気の過剰漏れを抑制することができる。
【００５８】
ここで、遮音ドア１の上部領域の上部通気孔４０の有効開口面積をＳ１とし、遮音ドア１の下部領域の下部通気孔２０の有効開口面積をＳ２とすると、遮音ドア１の有効開口面積の総和はＳ１＋Ｓ２となる。単位時間当たりの通気性は、基本的には有効開口面積に比例するため、上部通気孔４０及び下部通気孔２０が形成されている場合には、通気性が良好に確保される。しかしこのように通気孔を上部通気孔４０と下部通気孔２０とに分けて形成した場合には、騒音伝達性は単純に増加せず、ほとんど変化しないことが本発明者による試験により確認されている。
【００５９】
この試験によれば、図１０に示すように、Ｌ１で規定された測定点を有するほぼ同じ大きさの２つの密閉室（Ｌ１=１メートル、Ｌ２=５メートル、Ｌ３=５メートル、Ｌ４=５メートル）の仕切部に遮音ドア１を取り付けた。下部通気孔２０をスリット状とし、上部通気孔４０を３個並設させた。下部通気孔２０の有効開口面積を７０ｃｍ2、上部通気孔４０の有効開口面積を５０ｃｍ2となるように設定した。なお、遮音ドア１（各通気孔）の有効開口面積は、非特許文献１に記載されているように、建具（ドア）の両側の圧力差が９．８（Ｐａ）のときに通過する風量（ｍ3／ｈ）に０．７を乗じて求めた。そして音源であるスピーカから１０００Ｈｚの音圧レベルの音を発生させ、音源側の室の測定点の音圧レベルが平均で８７．３ｄＢとした。
【００６０】
この試験によれば、下部通気孔２０を閉鎖し、上部通気孔４０を開放させたとき、受音側の室の測定点の音圧レベルは６１．５ｄＢであった。更に下部通気孔２０及び上部通気孔４０の双方を開放させたとき、受音側の室の測定点における音圧レベルは６１．５ｄＢであった。このように遮音ドア１に下部通気孔２０及び上部通気孔４０の双方を形成したとしても、通気性を比例的に高め得るものの、音伝播性は実質的には変化せず、遮音性はほとんど低下しないことがわかった。
【００６１】
これは下記の理論式（１）によっても理解される。即ち、音源側の室の音圧レベルが平均で８７．３ｄＢのとき、上部通気孔４０のみを介して音が伝播するときの音圧レベルは、上記試験によれば、受音側の室での音圧レベルは６１．５ｄＢであるデータが得られている。ここで下部通気孔２０のみを介して音が伝播するときの受音側の室での音圧レベルは音圧レベルを６１．５ｄＢと仮定する。理論式（１）に基づけば、受音側の室の測定点における音圧レベルは６１．８ｄＢとなる。このように理論式（１）に基づけば、上部通気孔４０を開放させたときにおける受音側の室の音圧レベルと、上部通気孔４０及び下部通気孔２０の双方を開放させたときにおける受音側の室の音圧レベルとを比較すると、上部通気孔４０のみを開放させた場合よりも、上部通気孔４０及び下部通気孔２０の双方を開放させた場合には、単位時間当たりの通気流量は基本的には有効開口面積に比例的に増加するものの、音伝播は０．３ｄＢの増加分（６１．８ｄＢ−６１．５ｄＢ=０．３ｄＢ）となり、音伝播が仮に増加するとしても増加分はかなり少ないものである。
【００６２】
ｌｏｇ（１０61.5＋１０61.5）≒６１．８ｄＢ……（１）
また、本実施例によれば、図３に示すように、遮音ドア１のドア本体１ｄを枢支する側のドア枠１８とドア本体１ｄの第２ドア表面１ｂとの間をシールするように、遮音用シール部材１５がドア枠１８とドア本体１ｄとの間に設けられている。このためドア枠１８とドア本体１ｄとの隙間９１から音が洩れることが遮音用シール部材１５により抑えられ、遮音性が向上する。
【００６３】
殊に本実施例によれば、ドア本体１ｄの上部通気孔４０の第１上部開口４１及び第２上部開口４２は、ドア本体１ｄの厚み方向に沿った断面（図３）で、第１上部開口４１と第２上部開口４２とをドア本体１ｄの上部外側に沿って仮想的に結ぶ仮想線ＰＭにおいて第１上部開口４１と第２上部開口４２との途中に遮音用シール部材１５のシール部分１５ｘを位置させるように、設定されている。この結果、上部通気孔４０は遮音用シール部材１５を迂回している。このような本実施例によれば、ドア枠１８とドア本体１ｄとの隙間９１から音が洩れることを遮音用シール部材１５により抑えて遮音性を確保しつつ、遮音ドア１で仕切られている一方の室Ｋ１と他方の室Ｋ２との間における通気性を確保することができる。
【００６４】
また本実施例によれば、上部通気孔４０の第１上部開口４１は遮音ドア１のドア上面１ｕに形成されていると共に、第２下部開口２２は第２ドア表面１ｂに形成されており、上部通気孔４０の上部連通路４３はＬの字形状に形成されている。即ち、上部連通路４３は遮音ドア１のドア肉厚方向に直接的に貫通する方式ではない。同様に、下部通気孔２０の第１下部開口２１は第１ドア表面１ａに形成されていると共に、第２下部開口２２はドア底面１ｃに形成されており、下部連通路２３は逆Ｌの字形状に形成されている。即ち、下部連通路２３は遮音ドア１のドア肉厚方向に直接的に貫通する方式ではない。故に、音の伝搬距離を確保するのに有利となり、遮音性を向上させることができる。
【００６５】
加えて本実施例によれば、遮音ドア１が閉鎖されているとき、遮音部材６０が床面Ｆ（下枠１８ｄ）に接触または接近し、遮音部材６０が遮音位置ＨＢに切り替えられている。この結果、遮音ドア１による遮音性を一層高めることができ、音伝搬による不快感の低減に貢献することができる。一方、遮音ドア１が回動されて開放されるとき、持ち上げバネ６４の付勢力により遮音部材６０は自動的に持ち上げられて退避位置ＨＡとなり、ドア底面１ｃと床面Ｆ（下枠１８ｄ）との隙間幅が増加するため、遮音ドア１の開放作動性を確保することができる。
【実施例２】
【００６６】
図１１は実施例２を示す。実施例２は実施例１と基本的には同様の構成、作用効果を有する。以下、実施例１と異なる部位を中心として説明する。共通する部位には共通の符号を付する。本実施例によれば、図１１に示すように、上部通気孔４０の第２上部開口４２はドア本体１ｄの上部領域においてドア幅方向（矢印Ｄ方向）に複数個並設されているが、上部通気孔４０の上部連通路４３は複数個の第２上部開口４２全てに連通するように一体的に形成されている。この上部連通路４３は内壁面４３ｗで区画されている。第１上部開口４１は遮音ドア１のドア上面１ｕにおいてドア幅方向（矢印Ｄ方向）に沿ってスリット状に延設されており、上部連通路４３を介して全ての第２上部開口４２に連通するように形成されている。
【実施例３】
【００６７】
図１２、図１３は実施例３を示す。実施例３は実施例１と基本的には同様の構成、作用効果を有する。以下、実施例１と異なる部位を中心として説明する。共通する部位には共通の符号を付する。図１２は、遮音ドア１のドア本体１ｄの厚み方向に沿った断面を示す。本実施例によれば、上部通気孔４０の上部連通路４３は、第１上部開口４１の開口断面積と第２上部開口４２の開口断面積よりも、大きな流路断面積を有する空洞状の消音室４６とされている。消音室４６は内壁面４６ｗで区画されている。消音室４６は空洞容積が大きいため、音が第１上部開口４１から消音室４６に進入するとき、あるいは、音が第２上部開口４２から消音室４６に進入するとき、膨張に伴う消音効果を期待することができる。図１２に示すように、第１上部開口４１及び第２上部開口４２は、第１上部開口４１と第２上部開口４２とをドア本体１ｄの上部外側に沿って仮想的に結ぶ仮想線ＰＭにおいて、第１上部開口４１と第２上部開口４２との途中に遮音用シール部材１５のシール部分１５ｘを位置させるように、設定されている。
【実施例４】
【００６８】
図１４、図１５は実施例４を示す。実施例４は実施例１と基本的には同様の構成、作用効果を有する。以下異なる部位を中心として説明する。共通する部位には共通の符号を付する。本実施例によれば、図１５に示すように、上部通気孔４０の第１上部開口４１はドア本体１ｄの第１ドア表面１ａにおいてドア幅方向（矢印Ｄ方向）に沿ってスリット状に形成されていると共に、第２上部開口４２はドア本体１ｄの第２ドア表面１ｂにおいてドア幅方向（矢印Ｄ方向）に沿ってスリット状に形成されている。図１４に示すように、第１上部開口４１の高さ位置と第２上部開口４２の高さ位置とは異なるように設定されている。これにより第１上部開口４１から上部連通路４３に進入した音がスムーズに第２上部開口４２から出ないようにされている。同様に、第２上部開口４２から上部連通路４３に進入した音がスムーズに第１上部開口４１から出ないようにされている。これにより上部通気孔４０による通気性を確保しつつ、遮音性を確保することができる。
【００６９】
また第１上部開口４１の高さ位置と第２上部開口４２の高さ位置とを異なるように設定すれば、上部連通路４３の通路長を、両者の高さα相当ぶん長くでき、遮音性を高めることができる。なお第１上部開口４１には、意匠性を高める化粧体４９が取り付けられている。
【実施例５】
【００７０】
図１６、図１７は実施例５を示す。実施例５は実施例１と基本的には同様の構成、作用効果を有する。以下異なる部位を中心として説明する。共通する部位には共通の符号を付する。本実施例によれば、図１７に示すように、上部通気孔４０の第１上部開口４１はドア本体１ｄの第１ドア表面１ａにおいてドア幅方向（矢印Ｄ方向）に沿ってスリット状に形成されていると共に、第２上部開口４２はドア本体１ｄの第２ドア表面１ｂにおいてドア幅方向に沿ってスリット状に形成されている。図１６に示すように、第１上部開口４１の高さ位置と第２上部開口４２の高さ位置とは異なるように設定されている。これにより第１上部開口４１から上部連通路４３に進入した音がスムーズに第２上部開口４２から出ないようにされている。
【００７１】
また上部通気孔４０の上部連通路４３は、第１上部開口４１の開口断面積、第２上部開口４２の開口断面積よりも、大きな流路断面積を有する空洞状の消音室４６とされている。消音室４６は内壁面４６ｗで区画されている。消音室４６は大きな空洞容積を有するため、音が第１上部開口４１から消音室４６に進入するとき、あるいは、音が第２上部開口４２から消音室４６に進入するとき、膨張に基づく消音効果を期待できる。
【００７２】
また第１上部開口４１の高さ位置と第２上部開口４２の高さ位置とを異なるように設定すれば、消音室４６の高さ寸法ｈａを大きくでき、ひいては消音室４６の室容積を大きくでき、消音室４６による消音効果を高めることができる。
【００７３】
（他の実施例）
上記した各実施例では、ドア本体１ｄのドア底面１ｃにドア底面遮音手段６が装備されているが、これに限らず、ドア底面遮音手段６が装備されていないドアに適用しても良い。またドア本体１ｄとドア枠１８との間に遮音用シール部材１５が設けられているが、これに限らず、遮音用シール部材１５が設けられていないドアに適用しても良い。ドアはトイレ室、勉強部屋、寝室、客室、居間、業務室、オーディオ室、コンピュータ室等といった遮音性を特に要請される室のドアばかりではなく、他の室のドアにも適用できる。そのほか本発明は上記し且つ図面に示した実施例のみに限定されるものではなく、必要に応じて適宜変更して実施できるものである。
【図面の簡単な説明】
【００７４】
【図１】実施例１に係り、遮音ドアの正面図である。
【図２】実施例１に係り、遮音ドアの下部領域付近の拡大正面図である。
【図３】実施例１に係り、遮音ドアの上部領域付近をドア肉厚方向に沿って切断した拡大断面図である。
【図４】実施例１に係り、遮音ドアの上部領域付近の背面図である。
【図５】実施例１に係り、遮音ドアの下部領域付近をドア肉厚方向に沿って切断した拡大断面図である。
【図６】実施例１に係り、遮音ドアのドア底面を示す斜視図である。
【図７】実施例１に係り、遮音ドアの底部付近をドア幅方向に沿って切断した断面図である。
【図８】実施例１に係り、遮音ドアの底部付近をドア表面方向に沿って切断した断面図である。
【図９】実施例１に係り、遮音ドアの底部付近をドア肉厚方向に沿って切断した断面図である。
【図１０】音伝播試験を行った室のレイアウトを示す平面図である。
【図１１】実施例２に係り、遮音ドアの上部領域の第２開口付近を示す背面図である。
【図１２】実施例３に係り、遮音ドアの上部領域付近をドア肉厚方向に沿って切断した断面図である。
【図１３】実施例３に係り、遮音ドアの上部領域の第２開口付近を示す背面図である。
【図１４】実施例４に係り、遮音ドアの上部領域付近をドア肉厚方向に沿って切断した断面図である。
【図１５】実施例４に係り、遮音ドアの上部領域の第２開口付近を示す背面図である。
【図１６】実施例５に係り、遮音ドアの上部領域付近をドア肉厚方向に沿って切断した断面図である。
【図１７】実施例５に係り、遮音ドアの上部領域の第２開口付近を示す背面図である。
【符号の説明】
【００７５】
図中、１は遮音ドア、１ａは第１ドア表面、１ｂは第２ドア表面、１ｃはドア底面、１ｄはドア本体、１ｕはドア上面、１８はドア枠、２０は下部通気孔、２１は第１下部開口、２２は第２下部開口、２３は下部連通路、４０は上部通気孔、４１は第１上部開口、４２は第２上部開口、４３は上部連通路、４６は消音室、５は枠体、６はドア底面遮音手段、６０は遮音部材、６２は作動機構（作動部）、９は壁、ＨＡは退避位置、ＨＢは遮音位置、Ｆは床面（対向面）、ＦＡは隙間、Ｄはドア幅方向、Ｔはドア肉厚方向、Ｙはドア表面方向を示す。
【図１】
2005207106.tif 000003
【図２】
2005207106.tif 000004
【図３】
2005207106.tif 000005
【図４】
2005207106.tif 000006
【図５】
2005207106.tif 000007
【図６】
2005207106.tif 000008
【図７】
2005207106.tif 000009
【図８】
2005207106.tif 000010
【図９】
2005207106.tif 000011
【図１０】
2005207106.tif 000012
【図１１】
2005207106.tif 000013
【図１２】
2005207106.tif 000014
【図１３】
2005207106.tif 000015
【図１４】
2005207106.tif 000016
【図１５】
2005207106.tif 000017
【図１６】
2005207106.tif 000018
【図１７】
2005207106.tif 000019